(57)【特許請求の範囲】
【請求項１】
天井面に埋め込まれた本体ケーシングの下面に被着した化粧パネルの中央に吸込口を、四辺に吹出口を夫々設け、同吹出口に、支軸部を備えた風向変更板を回動自在に軸支し、前記本体ケーシング内に形成された前記吸込口と前記吹出口とを結ぶ空気通路に送風機および熱交換器を設け、前記吹出口内の前記吸込口側に、前記送風機から送られた前記熱交換器の一次側空気流を吹き出す補助吹出口を設けてなる天井埋込型空気調和機において、前記風向変更板と一体的に形成した前記補助吹出口を開閉する開閉板を付設し、前記風向板を回動させることにより冷房運転を行う際は前記開閉板を前記補助吹出口を閉じる位置に移動させ、暖房運転を行う際は前記開閉板を前記補助吹出口を開く位置に移動させるようにしたを特徴とする天井埋込型空気調和機。
【発明の詳細な説明】
【０００１】
【発明の属する技術分野】
本発明は、天井埋込型空気調和機に係わり、より詳細には、暖房運転時に吹き出される温風が、直ちに吸込口に流入するショートサーキットを防止できるとともに、冷房運転時には室内を効率よく冷房できるようにした構造に関する。
【０００２】
【従来の技術】
従来の天井埋込型空気調和機は、例えば図９で示すように、天井面に埋め込まれた本体ケーシング１の下面に被着した化粧パネル1aの中央に吸込口８を、四辺に吹出口２を夫々設け、同吹出口２に、支軸部を備えた風向変更板３を回動自在に軸支し、前記本体ケーシング１内に形成された前記吸込口８と前記吹出口２とを結ぶ空気通路９にファンモータ10および送風ファン11からなる送風機および熱交換器12を設け、前記吸込口８および前記吹出口２の間に、前記送風機から送られた前記熱交換器12の一次側空気流を吹き出す補助吹出口９'を設けてなる構成であった。
【０００３】
前記補助吹出口９'を設けたことによって、特開昭６２−２４８９３９号公報で開示されているように、暖房運転時に下吹出しにしても吹出気流の一部が吸込口へ吸引されるショートサーキットを防止できるため、高圧圧力の増加による暖房能力の低下や室温サーモや高圧圧力スイッチの作動による暖房運転の停止を防止できるようになり、また、高温の吹出気流ｃに低温の補助吹出気流ｂを混合できるので、混合吹出気流は中温となり、空気の比重が少し大きくなり、また風量も多くなるため下方への到達距離が増加し室内の上下温度差が少なくなり快適性が向上するようにした構成となっている。
【０００４】
しかしながら、暖房運転時には、上記に説明したとおり、前記補助吹出口９'を設けたことにより、室内の上下温度差が少なくなって快適性を向上できるようにした構成となる反面、冷房運転時には、暖房運転時のように快適性を向上させるという効果を奏することができず、むしろ、前記一次側空気流を吹き出すことによって冷房効果を損ねてしまうという問題を有していた。
【０００５】
【発明が解決しようとする課題】
本発明においては、上記の問題点に鑑み、暖房運転時に吹き出される温風が、直ちに吸込口に流入するショートサーキットを防止できるとともに、冷房運転時には室内を効率よく冷房できるようにした天井埋込型空気調和機を提供することを目的とする。
【０００６】
【課題を解決するための手段】
本発明は、上記課題を解決するため、天井面に埋め込まれた本体ケーシングの下面に被着した化粧パネルの中央に吸込口を、四辺に吹出口を夫々設け、同吹出口に、支軸部を備えた風向変更板を回動自在に軸支し、前記本体ケーシング内に形成された前記吸込口と前記吹出口とを結ぶ空気通路に送風機および熱交換器を設け、前記吹出口内の前記吸込口側に、前記送風機から送られた前記熱交換器の一次側空気流を吹き出す補助吹出口を設けてなる天井埋込型空気調和機において、前記風向変更板と一体的に形成した前記補助吹出口を開閉する開閉板を付設し、前記風向板を回動させることにより冷房運転を行う際は前記開閉板を前記補助吹出口を閉じる位置に移動させ、暖房運転を行う際は前記開閉板を前記補助吹出口を開く位置に移動させた構成となっている。
【０００７】
【０００８】
【０００９】
【００１０】
【００１１】
【００１２】
【００１３】
【００１４】
【発明の実施の形態】
以下、本発明の実施例を図面に基づいて詳細に説明する。図１（Ａ）および図１（Ｂ）と、図２（Ａ）および図２（Ｂ）と、図３と、図４（Ａ）および図４（Ｂ）と、図５（Ａ）乃至図５（Ｄ）と、図６（Ａ）および図６（Ｂ）と、図７（Ａ）乃至図７（Ｄ）と、図８（Ａ）および図８（Ｂ）とにおいて、１は天井埋込型空気調和機を構成して天井面に埋め込まれた本体ケーシング、1aは四辺に吹出口２を設けた化粧パネル、３は前記吹出口２に支軸部４により夫々回動自在に軸支された風向変更板で、前記本体ケーシング１内に形成された前記化粧パネル1aの中央部に設けた吸込口８と前記吹出口２とを結ぶ空気通路９には、ファンモータ10および送風ファン11からなる送風機と熱交換器12とが設けられ、前記吸込口８および前記吹出口２の間に、前記送風機から送られた前記熱交換器12の一次側空気流を吹き出す補助吹出口９'が設けられた構成となっている。
【００１５】
前記風向変更板３に、同風向変更板３に連動して前記補助吹出口９'を開閉する開閉板３'を付設し、冷房運転を行う際、前記風向変更板３を略水平位置に回動するとともに、前記開閉板３'を連動させて前記補助吹出口９'を閉じるようにし、暖房運転を行う際、前記風向変更板３を略垂直位置に回動するとともに、前記開閉板３'を連動させて前記補助吹出口９'を開くようにした構成となっており、これによって、従来技術として上記に説明したとおり、暖房運転時に下吹出しにしても吹出気流の一部が吸込口へ吸引されるショートサーキットを防止できるため、高圧圧力の増加による暖房能力の低下や室温サーモや高圧圧力スイッチの作動による暖房運転の停止を防止できるようになり、また、高温の吹出気流ｃに低温の補助吹出気流ｂを混合できるので、混合吹出気流は中温となり、空気の比重が少し大きくなり、また風量も多くなるため下方への到達距離が増加し室内の上下温度差が少なくなり快適性が向上するようにした構造となり、また、冷房運転時には、前記風向変更板３に前記開閉板３'を連動させて前記補助吹出口９'を閉じるので、前記一次側空気流を吹き出さずに冷気流ａのみを送出するようにして冷房効果を損ねることがないようにした構造となる。
【００１６】
また、前記開閉板3'を、図３で示すように、その両側に設けた接続片3bにより前記風向変更板３と一体的に形成したことによって、寸法形状が正確に仕上げられるとともにコスト的に有利な構成となっている。
【００１７】
また、前記支軸部が、前記吹出口２の長手方向の両側部に夫々設けられた略Ｕ字状の軸受溝1cと、同軸受溝1cに対応するストッパを両側に備えて嵌合された筒状のスリーブブッシュ4aと、同スリーブブッシュ4aに接続されると同時に前記風向変更板３の支軸3aに連結されたジョイント４とからなる構成となっており、これによって、前記開閉板3'を一体成形した前記風向変更板３を簡便な構成によって容易に、且つ正確に軸支できるようにした構造となる。
【００１８】
また、前記化粧パネル1aの四つのコーナ部1bの何れか一箇所に、前記風向変更板３を駆動し回動するための後述する駆動装置を設け、一つの同駆動装置により四つの前記風向変更板３が連動して回動するように、前記化粧パネル1aのコーナ部1bで隣接する前記ジョイント４を連結部4bおよび５により互いに連結した構成となっており、これによって、前記開閉板3'を一体成形した四つの前記風向変更板３を自動的に駆動し回動させて、快適な空気調和を実現できるようにした構造となっている。
【００１９】
また、前記風向変更板３を駆動し回動する駆動装置が、駆動モータ７と、同駆動モータ７の駆動軸の回転を往復動に変換して前記連結部4bおよび５に伝達するカム7aとからなる構成となっており、これによって、前記駆動モータ７の駆動軸の回転を前記カム7aにより円滑に往復動に変換できるようになり、前記連結部4bおよび５を介して、前記開閉板3'を一体成形した前記風向変更板３を、円滑に往復回動できるようにした構造となる。
【００２０】
また、前記駆動モータ７の駆動軸および前記カム7aの外周部に、夫々歯車7a'を設けて互いに噛合させたことにより、前記駆動モータ７の駆動軸と前記カム7aとを少許離間させて組付しやすくなるとともに、前記駆動モータ７の駆動軸の回転を正確に伝達できるようにした構成となっている。
【００２１】
また、前記連結部4bおよび５が、ユニバーサルジョイント６により連結されてなる構成となっており、これによって、前記開閉板3'を一体成形した四つの前記風向変更板３を自動的に、且つ正確に駆動し回動させて快適な空気調和を実現できるようにした構造となっている。
【００２２】
更に、前記連結部4bおよび５が、フレキシブルジョイント6'により連結されてなる構成となっており、これによって、前記ユニバーサルジョイント６よりも簡便でコスト的に有利な構成となり、前記開閉板3'を一体成形した四つの前記風向変更板３を自動的に、且つ正確に駆動し回動させて快適な空気調和を実現できるようにした構造となっている。
【００２３】
以上の構成により、図１（Ａ）および図１（Ｂ）と、図２（Ａ）および図２（Ｂ）と、図３と、図４（Ａ）および図４（Ｂ）と、図５（Ａ）乃至図５（Ｄ）と、図６（Ａ）および図６（Ｂ）と、図７（Ａ）乃至図７（Ｄ）と、図８（Ａ）および図８（Ｂ）とで示すように、前記風向変更板３に、同風向変更板３に連動して前記補助吹出口9'を開閉する開閉板3'を付設し、冷房運転を行う際、前記風向変更板３を略水平位置に回動するとともに、前記開閉板3'を連動させて前記補助吹出口9'を閉じるようにし、暖房運転を行う際、前記風向変更板３を略垂直位置に回動するとともに、前記開閉板3'を連動させて前記補助吹出口9'を開くようにしたので、従来技術として上記に説明したとおり、暖房運転時に下吹出しにしても吹出気流の一部が吸込口へ吸引されるショートサーキットを防止できるため、高圧圧力の増加による暖房能力の低下や室温サーモや高圧圧力スイッチの作動による暖房運転の停止を防止できるようになり、また、高温の吹出気流に低温の補助吹出気流を混合できるので、混合吹出気流は中温となり、空気の比重が少し大きくなり、また風量も多くなるため下方への到達距離が増加し室内の上下温度差が少なくなり快適性が向上するようにした構造となり、また、冷房運転時には、前記風向変更板３に前記開閉板3'を連動させて前記補助吹出口9'を閉じるので、前記一次側空気流を吹き出さずに冷気流ａのみを送出するようにして、冷房効果を損ねることがないようにした天井埋込型空気調和機となる。
【００２４】
【発明の効果】
以上のように本発明によると、暖房運転時に吹き出される温風が、直ちに吸込口に流入するショートサーキットを防止できるとともに、冷房運転時には室内を効率よく冷房できるようにした天井埋込型空気調和機となる。
【図面の簡単な説明】
【図１】本発明による天井埋込型空気調和機の説明図で、（Ａ）は断面図であり、（Ｂ）は下方から見た矢視図である。
【図２】本発明による天井埋込型空気調和機の要部断面図で、（Ａ）は冷房運転時の吹出気流を示し、（Ｂ）は暖房運転時の吹出気流を示す。
【図３】本発明による天井埋込型空気調和機の要部斜視図である。
【図４】本発明による天井埋込型空気調和機の一例を示す要部斜視図で、（Ａ）はユニバーサルジョイントで連結された風向変更板を示し、（Ｂ）はフレキシブルジョイントで連結された風向変更板を示す。
【図５】本発明による天井埋込型空気調和機の一例を示す要部説明図で、（Ａ）は図４（Ａ）に対応する斜視図であり、（Ｂ）は（Ａ）に対応する要部断面図であり、（Ｃ）は図４（Ｂ）に対応する斜視図であり、（Ｄ）は（Ｃ）に対応する要部断面図である。
【図６】本発明による天井埋込型空気調和機の他の例を示す要部斜視図で、（Ａ）はユニバーサルジョイントで連結された風向変更板を示し、（Ｂ）はフレキシブルジョイントで連結された風向変更板を示す。
【図７】本発明による天井埋込型空気調和機の他の例を示す要部説明図で、（Ａ）は図４（Ａ）に対応する斜視図であり、（Ｂ）は（Ａ）に対応する要部断面図であり、（Ｃ）は図４（Ｂ）に対応する斜視図であり、（Ｄ）は（Ｃ）に対応する要部断面図である。
【図８】本発明による天井埋込型空気調和機の支軸部を示す説明図で、（Ａ）は分解斜視図であり、（Ｂ）は側面図である。
【図９】従来例による天井埋込型空気調和機の断面図である。
【符号の説明】
１  本体ケーシング
1a  化粧パネル
1b  コーナ部
1c  軸受溝
２  吹出口
３  風向変更板
3'  開閉板
3a  支軸
3b  接続片
４  ジョイント
4a  スリーブブッシュ
4b，５  連結部
６  ユニバーサルジョイント
6'  フレキシブルジョイント
７  駆動モータ
7a  カム
7a'   歯車
８  吸込口
９  空気通路
9'  補助吹出口
10  ファンモータ
11  送風ファン
12  熱交換器
【図１】
0003896667.tif 000002
【図２】
0003896667.tif 000003
【図３】
0003896667.tif 000004
【図４】
0003896667.tif 000005
【図５】
0003896667.tif 000006
【図６】
0003896667.tif 000007
【図７】
0003896667.tif 000008
【図８】
0003896667.tif 000009
【図９】
0003896667.tif 000010